(57)【特許請求の範囲】
【請求項１】
底板部と、この底板部の周縁から立設されるケース側周壁部とを備えて側方に開口するケースと、前記ケースの内部に収容される回路構成体と、前記ケースの開口部を閉塞するものであって、蓋板部と、この蓋板部の周縁から立設されて前記ケース側周壁部の周囲を覆うカバー側周壁部とを備えるカバーとを備える電気接続箱であって、
前記回路構成体が、回路基板と、この回路基板の表面に搭載される電子部品とを備え、前記ケースの内部に前記電子部品が搭載された側の面を開口部側に向けて収容されるものであって、
前記回路構成体が、前記ケースの内部に、前記底板部の内側面との間に水が通過可能な隙間を空けて配され、
前記カバーが、前記蓋板部から前記ケース側に向かって突出するものであって、前記ケースと組み付けられた状態で前記ケース側上壁部よりも内側位置に配され、かつ前記回路構成体の上方に張り出す防水壁を備え、
前記防水壁の突出長さが、前記ケースに回路構成体が収容された状態で、その突出端の位置が前記回路基板の裏面よりも前記底板部寄りにあり、かつ前記底板部の内側面に対して僅かに隙間を空けた位置となる長さとされている電気接続箱。
【請求項２】
底板部と、この底板部の周縁から立設されるケース側周壁部とを備えて側方に開口するケースと、前記ケースの内部に収容される回路構成体と、前記ケースの開口部を閉塞するものであって、蓋板部と、この蓋板部の周縁から立設されて前記ケース側周壁部の周囲を覆うカバー側周壁部とを備えるカバーとを備える電気接続箱であって、
前記回路構成体が、回路基板と、この回路基板の表面に搭載される電子部品とを備え、前記ケースの内部に前記電子部品が搭載された側の面を開口部側に向けて収容されるものであって、
前記回路構成体が、前記ケースの内部に、前記底板部の内側面との間に水が通過可能な隙間を空けて配され、
前記カバーが、前記蓋板部から前記ケース側に向かって突出するものであって、前記ケースと組み付けられた状態で前記ケース側上壁部よりも内側位置に配され、かつ前記回路構成体の上方に張り出す防水壁を備え、
前記防水壁の上面には、前記カバーが前記ケースと組み付けられた状態で前記底板部側に向かって下る傾斜面が設けられている電気接続箱。
【請求項３】
底板部と、この底板部の周縁から立設されるケース側周壁部とを備えて側方に開口するケースと、前記ケースの内部に収容される回路構成体と、前記ケースの開口部を閉塞するものであって、蓋板部と、この蓋板部の周縁から立設されて前記ケース側周壁部の周囲を覆うカバー側周壁部とを備えるカバーとを備える電気接続箱であって、
前記回路構成体が、回路基板と、この回路基板の表面に搭載される電子部品とを備え、前記ケースの内部に前記電子部品が搭載された側の面を開口部側に向けて収容されるものであって、
前記回路構成体が、前記ケースの内部に、前記底板部の内側面との間に水が通過可能な隙間を空けて配され、
前記ケース側周壁部には、前記底板部側の領域よりも前記開口部側の領域が外側に張り出すように段差が付けられており、
前記底板部の内側面には、前記回路構成体を前記内側面に対して隙間を空けた状態で支持する支持突起が突設されており、
前記回路構成体が、前記ケース側周壁部の段差面の高さと前記回路基板表面の高さとがほぼ一致する状態で前記ケースの内部に収容されている電気接続箱。
【請求項４】
前記カバーが、前記蓋板部から前記ケース側に向かって突出するものであって、前記ケースと組み付けられた状態で前記ケース側上壁部よりも内側位置に配され、かつ前記回路構成体の上方に張り出す防水壁を備えるものである、請求項３に記載の電気接続箱。
【請求項５】
前記ケース側周壁部において前記電気接続箱が使用される状態で下側に位置するケース側下壁部、および前記カバー側周壁部において前記電気接続箱が使用される状態で下側に位置するカバー側下壁部のうち少なくとも一方に、上下方向に貫通する水抜き穴が形成されている、請求項１〜請求項４のいずれか一項に記載の電気接続箱。
【発明の詳細な説明】
【技術分野】
【０００１】
本発明は、電気接続箱に関する。
【背景技術】
【０００２】
従来、自動車のエンジンルームの浸水領域に配置される電気接続箱において、内部への浸水を防ぐ防水構造を備えるものがある（特許文献１参照）。
【先行技術文献】
【特許文献】
【０００３】
【特許文献１】特開２００６−７４９８８号公報
【発明の概要】
【発明が解決しようとする課題】
【０００４】
一方、車室内に配される電気接続箱においては、エンジンルームに配されるものとは異なり、高度な防水構造は必要なく、少量の水が電気接続箱の内部に侵入したとしても回路構成体の電子部品搭載面への付着を回避できる程度の止水構造があればよい。
そのような電気接続箱に対して上記のような高度な防水構造をそのまま採用することはコスト高であり、改善の余地があった。
【０００５】
本発明は上記のような事情に基づいて完成されたものであって、回路構成体に水が付着することを抑止する止水構造を備える電気接続箱を低コストで提供することを目的とする。
【課題を解決するための手段】
【０００６】
本発明は、底板部と、この底板部の周縁から立設されるケース側周壁部とを備えて側方に開口するケースと、前記ケースの内部に収容される回路構成体と、前記ケースの開口部を閉塞するものであって、蓋板部と、この蓋板部の周縁から立設されて前記ケース側周壁部の周囲を覆うカバー側周壁部とを備えるカバーとを備える電気接続箱であって、前記回路構成体が、回路基板と、この回路基板の表面に搭載される電子部品とを備え、前記ケースの内部に前記電子部品が搭載された側の面を開口部側に向けて収容されるものであって、前記回路構成体が、前記ケースの内部に、前記底板部の内側面との間に水が通過可能な隙間を空けて配されるものである。
そして、前記カバーが、前記蓋板部から前記ケース側に向かって突出するものであって、前記ケースと組み付けられた状態で前記ケース側上壁部よりも内側位置に配され、かつ前記回路構成体の上方に張り出す防水壁を備える。
また、前記防水壁の突出長さが、前記ケースに回路構成体が収容された状態で、その突出端の位置が前記回路基板の裏面よりも前記底板部寄りにあり、かつ前記底板部の内側面に対して僅かに隙間を空けた位置となる長さとされている。
あるいは、前記防水壁の上面には、前記カバーが前記ケースと組み付けられた状態で前記底板部側に向かって下る傾斜面が設けられている。
【０００７】
本構成によれば、ケース側周壁部とカバー側周壁部との隙間に水が侵入し、ケース側周壁部の内側まで入り込んだとしても、その水はケース側周壁部の内側を伝って底板部の表面に達し、回路基板の裏面とケースにおける底板部の内側面との間の隙間を通って下方に落下する。これにより、水がケースの内部に侵入したとしても、その水が回路基板の表面（電子部品が搭載された側の面）に付着することを回避できる。
また、ケース側上壁部の内側まで入り込んだ水が仮に下方に落下したとしても、その水は防水壁によって遮られる。これにより、水がケースの内部に侵入したとしても、その水が回路基板に付着することをより確実に回避できる。さらに、ケース側上壁部の内側まで入り込み、防水壁上に落下した水は、防水壁の上面を伝って回路基板の裏面側に導かれ、底板部の内側面を伝って下方へ落下する。これにより、内部に侵入した水が回路基板の表面に付着することをより確実に回避できる。
また、前記防水壁の突出長さが、前記ケースに回路構成体が収容された状態で、その突出端の位置が前記回路基板の裏面よりも前記底板部寄りにあり、かつ前記底板部の内側面に対して僅かに隙間を空けた位置となる長さとされている構成によれば、ケース側上壁部の内側まで入り込み、防水壁上に落下した水は、防水壁の上面を伝って回路基板の裏面側に導かれ、底板部の内側面を伝って下方へ落下する。これにより、内部に侵入した水が回路基板の表面に付着することをより確実に回避できる。
また、前記防水壁の上面には、前記カバーが前記ケースと組み付けられた状態で前記底板部側に向かって下る傾斜面が設けられている構成によれば、防水壁上に落下した水が傾斜面の傾斜に従って底板部側に転がり落ちるため、回路基板の裏面側に排出されやすくなる。これにより、水がケースの内部に侵入したとしても、その水が回路基板の表面に付着することをより確実に回避できる。
【０００８】
本発明の電気接続箱は、上記構成に加えて以下の構成を備えればより好ましい。
【００１５】
前記ケース側周壁部において前記電気接続箱が使用される状態で下側に位置するケース側下壁部、および前記カバー側周壁部において前記電気接続箱が使用される状態で下側に位置するカバー側下壁部のうち少なくとも一方に、上下方向に貫通する水抜き穴が形成されていれもよい。
【００１６】
このような構成によれば、ケースの内部に水が侵入したとしても、その水は水抜き穴を通って速やかに外部に排出される。これにより、侵入した水がケースの内部に溜まって回路構成体に付着することを回避できる。
【００１７】
また、以上のような止水構造は、未対策のケース構造と比較して比較的小さなコストアップで実現することができる。このため、止水構造を備える電気接続箱を低コストで提供できる。
【発明の効果】
【００１８】
本発明によれば、回路構成体に水が付着することを抑止する止水構造を備える電気接続箱を低コストで提供できる。
【図面の簡単な説明】
【００１９】
【図１】実施形態におけるケースの斜視図
【図２】実施形態におけるケースを開口部側から見た図
【図３】実施形態における電気接続箱の斜視図
【図４】実施形態における電気接続箱の断面図
【図５】図４の円Ｒ内の拡大図
【発明を実施するための形態】
【００２０】
本発明の実施形態を、図１〜図５を参照しつつ詳細に説明する。
本実施形態の電気接続箱１は、車両の車室内に設置して使用されるものであって、回路構成体１０と、この回路構成体１０を収容するケーシング２０とを備えている。
【００２１】
回路構成体１０は、導体回路（図示せず）を備える回路基板１１と、この回路基板１１の表面上に実装される電子部品１２とを備えている。回路基板１１上に実装される複数の電子部品１２のうち一部の電子部品１２は、金属製のシールドシェル１３によって覆われている。回路基板１１の表面において上側約３分の１の領域に放射ノイズを発生する電子部品が配され、それよりも下側に放射ノイズを発生しない電子部品が配されており、シールドシェル１３は回路基板１１の表面において上側約３分の１の領域を覆っている。
【００２２】
回路基板１１の表面下部における一部領域には、電源または車載電装品に接続された相手側コネクタを嵌合可能なコネクタ嵌合部１４が、下側に開口して形成されている。このコネクタ嵌合部１４の内部には、回路基板１１に設けられた導体回路と電気的に接続された接続端子１５が臨んでいる。また、回路基板１１の表面下部における他の領域には、導体回路と電気的に接続されたヒューズ端子（図示せず）が配されている。
【００２３】
この回路構成体１０は、縦置きの姿勢で、すなわち、回路基板１１の板面方向が縦方向となる向きでケーシング２０内部に収容される。
【００２４】
ケーシング２０は合成樹脂製であって、回路構成体１０を収容するケース３０と、このケース３０の開口を塞ぐように組み付けられるカバー５０とを備えている。ケース３０は側方が開放された扁平箱状に形成されており、回路構成体１０は、このケース３０内に、表面側（電子部品１２が搭載された側）を開口部側に向けて収容される。このケース３０は、回路構成体１０よりも一回り大きな矩形状に形成された底板部３１と、この底板部３１の周縁に立設されるケース側周壁部３２とを備える。ケース側周壁部３２は、電気接続箱１が車両内に配置され、使用される状態で上側に位置する第１上板部３３（ケース側上壁部に該当する）、下側に位置する第１下板部３４（ケース側下壁部に該当する）、および左右両側に位置する第１側板部３５、３５を備える。
【００２５】
ケース側周壁部３２には、第１上板部３３および第１側板部３５、３５の全幅、および第１下板部３４においてケース側コネクタ用開口部３８（後述）の形成位置を除く部分に、段差が付けられている。すなわち、第１上板部３３および第１側板部３５、３５の全幅、および第１下板部３４においてケース側コネクタ用開口部３８の形成位置を除く部分は、底板部３１の周縁から表側（開口部側）に向かって延出された後、その延出端からそれぞれ外側方向にさらに延出され、さらにその延出端から表側へ延出された形状とされ、これにより、開口部側の領域が、底板部３１側の領域よりも外側に張り出すように段差が付けられている。なお、第１上板部３３において、下段（底板部３１側の段）の上面は、全幅に亘って、底板部３１側に向かって下る第１傾斜面３６（傾斜面に該当する）とされている。
【００２６】
底板部３１の内側面には、回路構成体１０をこの内側面に対して隙間を空けた状態で支持するための支持突起３７が、複数個突設されている。この支持突起３７は、ケース側周壁部３２における段差面の底板部３１からの高さより、回路基板１１の厚さ分だけ低くされており、回路構成体１０は、この段差面の高さと回路基板１１表面の高さとがほぼ一致する状態でケース３０の内部に収容される。
【００２７】
第１下板部３４には、回路構成体１０のコネクタ嵌合部１４を外部に臨ませるためのケース側コネクタ用開口部３８が形成されている。このケース側コネクタ用開口部３８は、第１下板部３４において、回路構成体１０のコネクタ嵌合部１４に整合する部分を、その開口部側の縁部から一定深さまで切り欠くことにより形成されている。また、この第１下板部３４において、底板部３１との接合位置とケース側コネクタ用開口部３８が形成された部分との間の領域には、ケース３０の内部に侵入した水を排出するための水抜き穴３９が、上下方向に貫通して設けられている。
【００２８】
第１上板部３３、第１下板部３４、および第１側板部３５、３５の外側面には、それぞれ、カバー５０を係止するためのロック突起４０が設けられている。
【００２９】
一方、カバー５０は、ケース３０に対して、その開口を塞ぐように表面側から組み付けられるものである。このカバー５０は、裏面側が開放された扁平な箱状をなしており、ケース３０の底板部３１よりも一回り大きな略矩形板状の蓋板部５１と、この蓋板部５１の周縁から立設されるカバー側周壁部５２とを備える。カバー側周壁部５２は、ケース側周壁部３２よりも一回り大きな矩形枠状に形成され、ケース３０とカバー５０とが組み付けられた状態では、このカバー側周壁部５２がケース側周壁部３２の外周を覆うようにされている。このカバー側周壁部５２は、電気接続箱１が車両内に配置され、使用される状態で上側に位置する第２上板部５３、下側に位置する第２下板部５４（カバー側下壁部に該当する）、および左右両側に位置する第２側板部５５、５５を備える。
【００３０】
カバー側周壁部５２における第２上板部５３の突出長さは、カバー５０がケース３０と組み付けられた状態で、その突出端が底板部３１の外側面から少し外側方向に張り出す長さとされ、第２下板部５４および第２側板部５５、５５の突出長さは、カバー５０がケース３０と組み付けられた状態で、その突出端の位置が底板部３１の外側面にほぼ一致する長さとされている。
【００３１】
さらに、蓋板部５１の内側面からは、第３上板部５６（防水壁に該当する）が突設されている。この第３上板部５６は、第２上板部５３に対して、ケース側周壁部３２の第１上板部３３を受け入れ可能な分だけの隙間を空けて内側（下側）に立設されている。これにより、ケース３０とカバー５０とを組み付けた状態では、第２上板部５３と第３上板部５６との間に第１上板部３３を受け入れ可能とされている。
【００３２】
第３上板部５６は、回路構成体１０の上端よりもやや上方に位置し、その突出長さは、ケーシング２０内に回路構成体１０が収容された状態で、その突出端の位置が回路基板１１の裏面よりも少し底板部３１側であって、ケース３０における底板部３１の内側面に対して僅かに隙間を空けた蓋板部５１側に位置する長さとされている。
【００３３】
第３上板部５６において、突出端からそれよりもやや蓋板部５１寄りの位置に亘る領域は、全幅に亘って、突出端側（底板部３１側）に向かって下る第２傾斜面５７（傾斜面に該当する）とされている。
【００３４】
蓋板部５１の表面下部には、ヒューズを装着可能なヒューズ装着部５８が表面側に開口して形成されており、このヒューズ装着部５８の内部には、回路構成体１０に設けられたヒューズ端子が臨んでいる。
【００３５】
第２上板部５３、第２下板部５４、および第２側板部５５、５５の内側面には、それぞれ、ケース３０のロック突起４０と係合するロック受け部５９が複数設けられている。
【００３６】
また、第２下板部５４には、ケース側コネクタ用開口部３８と整合する位置に、カバー側コネクタ用開口部６０が形成されている。このカバー側コネクタ用開口部６０は、第２下板部５４において、回路構成体１０のコネクタ嵌合部１４に整合する部分を、その開口部側の縁部から一定深さまで切り欠くことにより形成されている。これにより、このカバー側コネクタ用開口部６０から、ケース側コネクタ用開口部３８を介して回路構成体１０のコネクタ嵌合部１４が外部に臨むようにされている。なお、第１下板部３４に形成された水抜き穴３９も、このカバー側コネクタ用開口部６０から外部に臨んでいる。
【００３７】
次に、上記のように構成されたケース３０、カバー５０および回路構成体１０を組み付ける手順について説明する。
【００３８】
まず、回路構成体１０を、表面（電子部品１２が実装された面）がケース３０の開口側を向き、裏面が底板部３１側を向くようにして、ケース３０に収納する。このとき、回路構成体１０は支持突起３７上に載置され、回路構成体１０の裏面と底板部３１の内側面との間に、水の通路となる隙間が確保される。
【００３９】
次に、ケース３０の開口側からカバー５０を組み付ける。このとき、ケース３０の第１上板部３３が、カバー５０の第２上板部５３と第３上板部５６との間に入り込む。そして、ロック突起４０とロック受け部５９が係合することにより、ケース３０とカバー５０とが互いに係合される。
【００４０】
組み付けが終了した電気接続箱１は、例えば車両内の所定位置に、第１上板部３３、第２上板部５３および第３上板部５６が上側を向き、内部に収容されている回路構成体１０が縦置きとなる姿勢で車両の車室内に設置され、使用される。
【００４１】
次に、本実施形態の作用効果について説明する。
【００４２】
本実施形態の電気接続箱１は、車両において車室内、すなわち基本的には雨や車両の洗浄の際の洗浄水等を避けられる箇所に設置されるものであるが、乗車する人が車室内で水をこぼしてしまうなどして、少量の水がかかってしまう場合が想定される。
【００４３】
ここで、本実施形態の電気接続箱１は、底板部３１と、この底板部３１の周縁から立設されるケース側周壁部３２とを備えて側方に開口するケース３０と、このケース３０の内部に収容される回路構成体１０と、このケース３０の開口部を閉塞するものであって、蓋板部５１と、この蓋板部５１の周縁から立設されてケース側周壁部３２の周囲を覆うカバー側周壁部５２とを備えるカバー５０とを備えるものである。そして、回路構成体１０が、回路基板１１と、この回路基板１１の表面に搭載される電子部品１２とを備え、ケース３０の内部に電子部品１２が搭載された側の面を開口部側に向けて収容されるものであって、この回路構成体１０が、ケース３０の内部に、底板部３１の内側面との間に水が通過可能な隙間を空けて配されている。
【００４４】
このような構成によれば、ケース側周壁部３２とカバー側周壁部５２との隙間に水が侵入し、ケース側周壁部３２の内側まで入り込んだとしても、その水はケース側周壁部３２の内側を伝って底板部３１の表面に達し、回路基板１１の裏面とケース３０における底板部３１の内側面との間の隙間を通って下方に落下する。これにより、水がケース３０の内部に侵入したとしても、その水が回路基板１１の表面（電子部品１２が搭載された側の面）に付着することを回避できる。
【００４５】
また、カバー５０には、蓋板部５１からケース３０側に向かって突出し、ケース３０と組み付けられた状態で第１上板部３３よりも内側（下側）位置に配され、かつ回路構成体１０の上方に張り出す第３上板部５６が備えられている。
【００４６】
このような構成によれば、第１上板部３３と第２上板部５３との隙間に侵入し、第１上板部３３の内側まで入り込んだ水が、仮に下方に落下したとしても、その水は第３上板部５６によって遮られる。これにより、水がケース３０の内部に侵入したとしても、その水が回路基板１１に付着することをより確実に回避できる。
【００４７】
さらに、この第３上板部５６の突出長さは、ケーシング２０内に回路構成体１０が収容された状態で、その突出端の位置が回路基板１１の裏面よりも底板部３１寄りにあって、ケース３０における底板部３１の内側面に対して僅かに隙間を空けた位置となる長さとされている。
【００４８】
このような構成によれば、第１上板部３３の内側まで入り込み、第３上板部５６上に落下した水は、第３上板部５６の上面を伝って回路基板１１の裏面側に導かれ、底板部３１の内側面を伝って下方へ落下する。これにより、内部に侵入した水が回路基板１１の表面（電子部品１２が搭載された側の面）に付着することをより確実に回避できる。
【００４９】
特に、第３上板部５６において、突出端からそれよりもやや開口部側の位置までの領域は、全幅に亘って、底板部３１側に向かって下がる第２傾斜面５７とされている。
【００５０】
このような構成によれば、第３上板部５６上に落下した水が第２傾斜面５７の傾斜に従って底板部３１側に転がり落ちるため、回路基板１１の裏面側に排出されやすくなる。これにより、水がケース３０の内部に侵入したとしても、その水が回路基板１１の表面（電子部品１２が搭載された側の面）に付着することをより確実に回避できる。
【００５１】
さらに、第１下板部３４には、ケース３０の内部に侵入した水を排出するための水抜き穴３９が、上下方向に貫通して設けられており、この水抜き穴３９は、第２下板部５４に設けられたカバー側コネクタ用開口部６０から外部に臨んでいる。
【００５２】
このような構成によれば、ケース３０の内部に水が侵入したとしても、その水は水抜き穴３９を通り、さらにカバー側コネクタ用開口部６０を通って速やかに外部に排出される。これにより、侵入した水がケース３０の内部に溜まって回路構成体１０に付着することを回避できる。
【００５３】
また、上記のような止水構造は、未対策のケース構造と比較して比較的小さなコストアップで実現することができる。このため、止水構造を備える電気接続箱１を低コストで提供できる。
【００５４】
＜他の実施形態＞
本発明は上記記述及び図面によって説明した実施形態に限定されるものではなく、例えば次のような実施形態も本発明の技術的範囲に含まれる。
（１）上記実施形態では、水抜き穴３９は１個設けられていたが、複数の水抜き穴が設けられていても構わない。
【００５５】
（２）上記実施形態では、水抜き穴３９がカバー側コネクタ用開口部６０から外部に臨む位置に設けられていたが、水抜き穴の形成位置はカバー側コネクタ用開口部６０とは異なる位置であっても構わない。また、ケース３０の第１下板部３４とカバー５０の第２下板部５４との双方に水抜き穴が設けられていても構わない。この場合、双方の水抜き穴が互いに整合する位置に設けられていることが好ましい。
【００５６】
（３）上記実施形態では、第３上板部５６において、突出端からそれよりもやや開口部側の位置までの領域は、ケース３０側に向かって下る第２傾斜面５７とされているが、第３上板部の上面全面がケース３０側に向かって下る傾斜面とされていても構わない。また、上記実施形態では、第２傾斜面５７は第３上板部５６の全幅に亘って設けられているが、幅方向の一部にのみ設けられていても構わない。
【符号の説明】
【００５７】
１…電気接続箱
１０…回路構成体
１１…回路基板
１２…電子部品
３０…ケース
３１…底板部
３２…ケース側周壁部
３３…第１上板部（ケース側上壁部）
３４…第１下板部（ケース側下壁部）
３９…水抜き穴
５０…カバー
５１…蓋板部
５２…カバー側周壁部
５４…第２下板部（カバー側下壁部）
５６…第３上板部（防水壁）
５７…第２傾斜面（傾斜面）
【図１】
0005831757.tif 000002
【図２】
0005831757.tif 000003
【図３】
0005831757.tif 000004
【図４】
0005831757.tif 000005
【図５】
0005831757.tif 000006